(57)【要約】【課題】便器の下端外周に接する床材を取り外した後の床の清掃を行いやすくし、トイレルームの床の清掃性をより向上させる。【解決手段】便器２の下端外周２ａにその略半分から後端までの範囲内で接するとともに、便器から前方にかけての床部分を形成する床材３が取り外し可能とされ、取り付け時に床材の外周端面３ｂ、３ｃに接する床１の端面１ｂが外側に下り傾斜する傾斜面５とされ、この床端面に接する床材の外周端面が内側に下り傾斜する傾斜面とされている。【選択図】図１
2008081963.tif 000002
【特許請求の範囲】
【請求項１】
便器の下端外周にその略半分から後端までの範囲内で接するとともに、便器から前方にかけての床部分を形成する床材が取り外し可能とされ、取り付け時に床材の外周端面に接する床の端面が外側に下り傾斜する傾斜面とされ、この床端面に接する床材の外周端面が内側に下り傾斜する傾斜面とされていることを特徴とするトイレ床構造。
【請求項２】
傾斜面状の床端面が撥水加工されていることを特徴とする請求項１に記載のトイレ床構造。
【請求項３】
床材の左右両側に位置する床も取り外し可能な床材により形成されていることを特徴とする請求項１または２に記載のトイレ床構造。
【発明の詳細な説明】
【技術分野】
【０００１】
本発明は、トイレ床構造に関する。
【背景技術】
【０００２】
トイレルームに設置された便器の下端外周に接する床端部は掃除がしにくく、汚れがこびりつくという問題があり、この問題を解消するために、図５に示したようなトイレ床構造が提案されている（特許文献１）。
【０００３】
図５に示したトイレ床構造では、便器５１の前方に位置し、床の一部を形成する床材５２が取り外し可能とされるとともに、床材５２に連なり、便器５１の下端外周に接する床部分が着脱自在な床材５３により形成されている。清掃時には、床材５２を持ち上げて取り外した後、床材５３を便器５１の前方に引き出して取り外し、床材５３を水で丸洗いする。このように、床材５３を水で丸洗いすることによって、便器５１の下端外周に接する床部分の掃除を良好に行うことができ、トイレルームの床を清潔な状態に戻すことができる。
【特許文献１】特開２００１−２９２９３３号公報
【発明の開示】
【発明が解決しようとする課題】
【０００４】
しかしながら、図５に示したトイレ床構造には、図６に示したように、床材５３の外周端面に接する床５４の端面５５は垂直に切り立つかまたは階段状に形成されているため、端面５５および床材５３を取り去った後の凹部５６の外周部の掃除が行いにくく、汚れを十分に取り除くことができないという問題がある。
【０００５】
本発明は、以上の通りの事情に鑑みてなされたものであり、便器の下端外周に接する床材を取り外した後の床の清掃を行いやすくし、トイレルームの床の清掃性をより向上させることのできるトイレ床構造を提供することを課題としている。
【課題を解決するための手段】
【０００６】
本発明のトイレ床構造は、上記の課題を解決するために、以下のことを特徴としている。
【０００７】
第１に、便器の下端外周にその略半分から後端までの範囲内で接するとともに、便器から前方にかけての床部分を形成する床材が取り外し可能とされ、取り付け時に床材の外周端面に接する床の端面が外側に下り傾斜する傾斜面とされ、この床端面に接する床材の外周端面が内側に下り傾斜する傾斜面とされている。
【０００８】
第２に、上記において、傾斜面状の床端面が撥水加工されている。
【０００９】
第３に、上記において、床材の左右両側に位置する床も取り外し可能な床材により形成されている。
【発明の効果】
【００１０】
上記第１の発明によれば、取り外し可能とされた床材の取り付け時にその外周端面に接する床の端面が外側に下り傾斜する傾斜面とされ、この床端面に接する床材の外周端面が内側に下り傾斜する傾斜面とされているため、床材を取り外した後の床端面および床の凹部外周部の掃除が容易となり、汚れを十分に取り除くことができる。トイレルームの床の清掃性がより向上する。また、取り外し可能とされた床材は、便器の下端外周にその略半分から後端までの範囲内で接するものであるため、特に汚れがこびりつきやすい便器の前側下端周辺の床をきれいにすることができ、清潔な状態に戻すことができる。
【００１１】
上記第２の発明によれば、上記の発明の効果に加え、傾斜面状の床端面が撥水加工されているので、汚れが付着しにくく、また、汚れが付着しても容易に取り除くことができる。清掃性がより一層向上する。
【００１２】
上記第３の発明によれば、上記の発明の効果に加え、床材の左右両側に位置する床も取り外し可能な床材により形成されているため、丸洗いなどによりきれいにすることのできる床面積が大きくなり、トイレルームの床の掃除をさらに一層良好に行うことができる。
【発明を実施するための最良の形態】
【００１３】
図１は、本発明のトイレ床構造の第１の実施形態を示した要部斜視図である。
【００１４】
図１に示したトイレ床構造では、トイレルームの床１において、便器２の周辺部に位置し、便器２の半分から前方にかけての部分が、床材３により形成され、床材３は床１からの取り外しが可能とされている。床材３は、便器２の下端外周２ａの半分から前側の外形に等しい形状の切欠部４が形成された板体であり、左右の側端面３ｂ、切欠部４をはさんで左右対称に配置された後端面３ｃおよび前端面３ｄを有している。床材３は、取り付け時には、切欠部４の周面４ａが便器２の下端外周２ａの半分から前側の部分に面接触し、また、側端面３ｂおよび後端面３ｃが床１の端面１ｂに面接触して、表面３ａが床１の表面１ａと面一となり、床面の一部を形成する。床材３の前端面３ｄはトイレルームの前縁に配置される。このような板状の床材３はたとえばパネルなどから形成することができる。
【００１５】
また、図１に示したトイレ床構造では、床材３において外周端面を形成している左右両側端面３ｂおよび後端面３ｃが取り付け時に面接触する床１の端面１ｂが、図２の要部断面図にも示したように、外側に下り傾斜する傾斜面５とされている。このような傾斜面５状の床１の端面１ｂに対応して床材３の側端面３ｂおよび後端面３ｃは、内側に下り傾斜する傾斜面６とされている。取り付け時には、傾斜面６が傾斜面５の上に重なり、床材３の左右両側端面３ｂおよび後端面３ｃが床１の端面１ｂに面接触する。
【００１６】
さらに、図１に示したトイレ床構造では、床材３の前端面３ｄ側の表面部に取っ手７が設けられている。
【００１７】
図３は、取っ手７の周辺を示した要部断面図である。
【００１８】
取っ手７は、床材３の表面３ａ側において回動軸８により上下方向に回動自在に支持されている。床材３には、回動軸８をはさんで片側に、取っ手７の厚み分の深さを有する取っ手収納部９が形成されている。回動軸８をはさんで取っ手収納部９の反対側には、板厚方向に断面弧状に切り欠かれた凹所１０が形成されている。取っ手７が取っ手収納部９に収納されているときには、取っ手７の表面７ａは床材３の表面３ａと面一に配置される。取っ手７の一端部を凹所１０内に向けて下方に押し込むと、他端部が上方に回動し、床材３の表面３ａから上側に突出する。取っ手７の突出する部分を握って床材３を持ち上げ、床材３を床１から取り外すことができる。
【００１９】
図１に示したトイレ床構造では、トイレルームの清掃の際には、床材３を床１から取り外すことができる。取っ手７を回動させ、上方に突出する部分を握って床材３を引き上げ、床１から取り外す。取り外した床材３は、水で丸洗いなどすることができ、汚れのこびりつきやすい便器２の下端外周２ａの半分から前側に接する切欠部４の周面４ａおよび周面４ａに隣接する床材３の表面３ａ部をきれいに掃除することができる。また、床１を掃除するに当たり、床１の端面１ｂが外側に下り傾斜する傾斜面５であるため、床材３を取り外した後の床１の端面１ｂならびに床１の凹部１１の外周部の掃除が容易となり、汚れを十分に取り除くことができる。トイレルームの床１の清掃性がより向上する。
【００２０】
清掃後には、床材３を凹部１１に取り付ける。床１を清潔な状態に戻すことができる。
【００２１】
なお、図１に示したトイレ床構造では、傾斜面５状の床１の端面１ｂを撥水加工しておくことができる。シリコンやフッ素などの配合された高分子コーティング剤をコーティングする、疎面化するなどにより撥水加工することができる。このように、傾斜面５状の床１の端面１ｂを撥水加工することによって、汚れが付着しにくく、また、汚れが付着しても容易に取り除くことができる。清掃性がより一層向上する。
【００２２】
撥水加工は、また、床１の端面１ｂに面接触する床材３の左右両側端面３ｂおよび後端面３ｃ、さらに切欠部４の周面４ａにも適用可能である。
【００２３】
図４は、本発明のトイレ床構造の第２の実施形態を示した平面図である。
【００２４】
本実施形態において第１の実施形態と共通する部分には同一の符号を付し、その説明を省略する。
【００２５】
図４に示したトイレ床構造では、床材３の左右両側に位置する床１も取り外し可能な床材１２、１３により形成されている。つまり、トイレルームの床１は、便器２の下端外周２ａの半分において奥行き方向に２分割されるとともに、便器２の半分から前側部分が幅方向に３分割され、床材３および床材１２、１３によって便器２の半分から前側の床部分を形成するようにしている。床材１２、１３の表面１２ａ、１３ａは、床材１２、１３の取り付け時に、床材３の表面３ａとともに床１の表面１ａと面一に配置され、床面の一部を形成する。
【００２６】
床材１２は、床材３の左側の床部分を形成するものであり、右側端面１２ｂが、床材３の傾斜面６状の側端面３ｂと面接触する、外側に下り傾斜する傾斜面５とされている。左側端面１２ｃは、取り付け時にトイレルームの左縁に配置され、前端面１２ｄはトイレルームの前縁に配置され、床材３の前端面３ｄと同一平面状に配置される。後端面１２ｅは、便器２の半分から後側の床部分の図１に示したような傾斜面５状の端面１ｂに対応して内側に下り傾斜する傾斜面６とされている。
【００２７】
床材１３は、床材３の右側の床部分を形成するものであり、左側端面１３ｂが、床材３の傾斜面６状の側端面３ｂと面接触する、外側に下り傾斜する傾斜面５とされている。右側端面１３ｃは、取り付け時にトイレルームの右縁に配置され、前端面１３ｄはトイレルームの前縁に配置され、床材３の前端面３ｄと同一平面状に配置される。後端面１３ｅは、便器２の半分から後側の床部分の図１に示したような傾斜面５状の端面１ｂに対応して内側に下り傾斜する傾斜面６とされている。
【００２８】
また、床材１２、１３には、前端面１２ｄ、１３ｄ側の表面１２ａ、１３ａ部に、床材３に設けられたのと同様な、回動によって上側に突出する取っ手７が設けられている。取っ手７の表面７ａは、取っ手７の収納時に床材１２、１３の表面１２ａ、１３ａと面一に配置される。取っ手７の上側に突出する部分を握り、持ち上げて床材１２、１３の取り外しを行うことができる。
【００２９】
このように、床材３の左右両側に位置する床１も取り外し可能な床材１２、１３により形成することによって、床材１２、１３も水で丸洗いするなどしてきれいすることができ、丸洗いなどによりきれいにすることのできる床面積が大きくなり、トイレルームの床１の掃除をさらに一層良好に行うことができる。
【００３０】
図４に示したトイレ床構造においても床１の端面１ｂを撥水加工し、また、床材１２、１３については、傾斜面５状の右側端面１２ｂおよび左側端面１３ｂならびに傾斜面６状の後端面１２ｅ、１３ｅを撥水加工しておくことができる。
【００３１】
なお、本発明のトイレ床構造では、床材３は、便器２の下端外周２ａにその略半分から後端までの範囲内で接し、便器２から前方にかけての床部分を形成することができればよく、後端面３ｃは、図１および図４に示した実施形態よりもトイレルームの奥側に位置するものであっても構わない。特に汚れがこびりつきやすい便器の前側下端周辺の床部分が取り外し可能となっていればよい。また、床材３および床材１２、１３は、ともに、トイレルームの大きさなどに応じて長さ方向に複数に分割したものとすることができる。この場合、その前端面および後端面はいずれか一方を傾斜面５とし、他方を傾斜面６とし、また、撥水加工しておくことが考慮される。
【図面の簡単な説明】
【００３２】
【図１】本発明のトイレ床構造の第１の実施形態を示した要部斜視図である。
【図２】図１に示したトイレ床構造の要部断面図である。
【図３】図１に示した取っ手周辺を示した要部断面図である。
【図４】本発明のトイレ床構造の第２の実施形態を示した平面図である。
【図５】従来のトイレ床構造を示した要部斜視図である。
【図６】従来のトイレ床構造を示した要部正面図である。
【符号の説明】
【００３３】
１  床
１ｂ  端面
２  便器
２ａ  下端外周
３  床材
３ｂ  側端面
３ｃ  後端面
５  傾斜面
６  傾斜面
１２  床材
１３  床材
【図１】
2008081963.tif 000003
【図２】
2008081963.tif 000004
【図３】
2008081963.tif 000005
【図４】
2008081963.tif 000006
【図５】
2008081963.tif 000007
【図６】
2008081963.tif 000008